(57)【要約】【課題】メモリ内に蓄積された画像を容易に整理し、メモリの空き領域を確保できる画像記録装置等を提供する。【解決手段】画像記録装置は、複数の画像の内から選択された画像を、画像貼付領域を有する台紙画像に貼り付けることにより、アルバム画像を生成する画像記録装置であって、台紙画像の画像貼付領域に合わせて、選択された画像の画像データ量を縮小させることにより、リサイズ画像データを生成するリサイズ画像生成部２４と、該リサイズ画像生成部によって生成されたリサイズ画像データと、上記台紙画像を表す台紙画像データとを用いて、合成画像データを生成する画像合成部２５と、記憶部６０に格納されている上記選択された画像を表す画像データを削除すると共に、リサイズ画像データ生成部によって生成されたリサイズ画像データを、上記台紙画像データと関連づけて記憶部に格納する記憶制御部２１とを備える。【選択図】図１
2011257875.tif 000002
【特許請求の範囲】
【請求項１】
記憶部に格納された複数の画像の内から選択された画像を、画像貼付領域を有する台紙画像に貼り付けることにより、アルバム画像を生成する画像記録装置であって、
前記台紙画像の前記画像貼付領域に合わせて、前記選択された画像の画像データ量を縮小させることにより、リサイズ画像データを生成するリサイズ画像データ生成部と、
前記リサイズ画像データ生成部によって生成されたリサイズ画像データと、前記台紙画像を表す台紙画像データとを用いて、合成画像データを生成する画像合成部と、
前記記憶部に格納されている前記選択された画像を表す画像データを削除すると共に、前記リサイズ画像データ生成部によって生成されたリサイズ画像データを、前記台紙画像データと関連づけて前記記憶部に格納する記憶制御部と、
を備えることを特徴とする画像記録装置。
【請求項２】
前記記憶部に複数の台紙画像を表す画像データが格納されている場合に、前記複数の台紙画像の内から、前記選択された画像又は該画像を所定の順序で並べたときに隣接する画像と略等しい分解能を有する台紙画像を選択する台紙画像選択部をさらに備えることを特徴とする請求項１に記載の画像記録装置。
【請求項３】
前記台紙画像選択部は、前記複数の台紙画像の内から、前記選択された画像の数に応じた画像貼付領域を有する台紙画像を選択することを特徴とする請求項２に記載の画像記録装置。
【請求項４】
前記リサイズ画像データ生成部は、前記台紙画像の画像データ量と前記台紙画像に貼り付けられる前記画像の画像データ量との合計が、前記選択された画像又は前記隣接する画像の画像データ量と略等しくなるように、前記リサイズ画像データを生成することを特徴とする請求項２又は３に記載の画像記録装置。
【請求項５】
前記記憶制御部は、
前記リサイズ画像データに、前記台紙画像データを識別する情報を関連づけて格納し、
前記台紙画像データに、前記リサイズ画像データを識別する情報を関連づけて格納することを特徴とする請求項１〜４のいずれか１項に記載の画像記録装置。
【請求項６】
１つ以上の画像を操作者に選択させると共に、操作者によって選択された画像に基づいてアルバム画像を生成するか否かを操作者に選択させる表示を行う表示制御部をさらに備えることを特徴とする請求項１〜５のいずれか１項に記載の画像記録装置。
【請求項７】
前記表示制御部は、前記選択された画像に基づくアルバム画像の生成と、前記選択された画像の削除との内のいずれかを操作者に選択させる表示を行うことを特徴とする請求項６に記載の画像記録装置。
【請求項８】
前記選択された画像の削除を選択する信号が入力された場合に、前記選択された撮像画像を表す画像データを前記記憶部から削除する画像削除部をさらに備えることを特徴とする請求項７に記載の画像記録装置。
【請求項９】
前記表示制御部は、前記記憶部に空き領域が不足した場合に、前記表示を行うことを特徴とする請求項６〜８のいずれか１項に記載の画像記録装置。
【請求項１０】
前記記憶部をさらに備えることを特徴とする請求項１〜９のいずれか１項に記載の画像記録装置。
【請求項１１】
請求項１〜１０のいずれか１項に記載の画像記録装置と、
１つ又は複数のレンズによって形成された光学系と、該光学系を透過した光を受光して電気信号に変換する撮像素子とを有する撮像部と、
を備えることを特徴とする撮像装置。
【請求項１２】
記憶部に格納された複数の画像の内から選択された画像を、１つ又は複数の画像貼付領域を有する台紙画像に貼り付けることにより、アルバム画像を生成する動作を画像記録装置に実行させる画像記録プログラムであって、
前記台紙画像の前記画像貼付領域に合わせて、前記選択された画像の画像データ量を縮小させることにより、リサイズ画像データを生成するリサイズ画像データ生成ステップと、
前記リサイズ画像データ生成ステップにおいて生成されたリサイズ画像データと、前記台紙画像を表す台紙画像データとを用いて、合成画像データを生成する画像合成ステップと、
前記記憶部に格納されている前記選択された画像を表す画像データを削除すると共に、前記リサイズ画像データ生成ステップにおいて生成されたリサイズ画像データを、前記台紙画像データと関連づけて前記記憶部に格納する記憶制御ステップと、
を実行させることを特徴とする画像記録プログラム。
【発明の詳細な説明】
【技術分野】
【０００１】
本発明は、画像データを記録する画像記録装置、該画像記録装置を備えた撮像装置、及び画像記録プログラムに関する。
【背景技術】
【０００２】
近年、カメラ技術のデジタル化に伴い、フィルムや現像工程が不要となり、画像の取り扱いが容易になった。その一方で、フィルム現像からプリントまでを業者に任せていた時代と異なり、撮影後の画像の取り扱い、即ち、プリントする画像の選択、プリンタの設定、画像データの整理等を、ユーザが自ら行う必要が生じている。
【０００３】
デジタルカメラに適用可能な小型の記録媒体は、その容量が増加の一途をたどっており、大量の画像を保存しておくことが可能となっている。このような状況において、１つの記録媒体に格納される画像の数も膨大になっており、所望の画像を探し出して鑑賞することや、アルバム等を作成して画像を整理することが困難になっている。
【０００４】
例えば、画像の整理に関連する技術として、特許文献１には、互いに類似する画像データを検索し、これらの類似する画像データのうちの１つを代表類似画像データとして電子アルバムのページと対応する編集領域に表示し、それ以外の画像データ退避領域に表示させる電子アルバム編集装置が開示されている。また、メモリ容量を節約等するため、予め画像サイズを縮小して撮影したり、撮影した後で画像サイズを縮小して保存し直す技術も知られている。
【先行技術文献】
【特許文献】
【０００５】
【特許文献１】特許第４４３８０６１号公報
【発明の概要】
【発明が解決しようとする課題】
【０００６】
上記のとおり、膨大な数の画像を整理することはユーザにとって面倒な作業であるが、一方で、画像を整理しないまま放っておくと、いずれ記録媒体の空き領域がなくなってしまう。特に、出先等で予備の記録媒体の持ち合わせがない時にそのような状態になると、更なる撮像を継続できなくなってしまう。
【０００７】
本発明は、上記に鑑みてなされたものであって、メモリ内に蓄積された画像を容易に整理し、メモリの空き領域を確保することができる画像記録装置、撮像装置、及び画像記録プログラムを提供することを目的とする。
【課題を解決するための手段】
【０００８】
上述した課題を解決し、目的を達成するために、本発明に係る画像記録装置は、記憶部に格納された複数の画像の内から選択された画像を、画像貼付領域を有する台紙画像に貼り付けることにより、アルバム画像を生成する画像記録装置であって、前記台紙画像の前記画像貼付領域に合わせて、前記選択された画像の画像データ量を縮小させることにより、リサイズ画像データを生成するリサイズ画像データ生成部と、前記リサイズ画像データ生成部によって生成されたリサイズ画像データと、前記台紙画像を表す台紙画像データとを用いて、合成画像データを生成する画像合成部と、前記記憶部に格納されている前記選択された画像を表す画像データを削除すると共に、前記リサイズ画像データ生成部によって生成されたリサイズ画像データを、前記台紙画像データと関連づけて前記記憶部に格納する記憶制御部とを備えることを特徴とする。
【０００９】
上記画像記録装置は、前記記憶部に複数の台紙画像を表す画像データが格納されている場合に、前記複数の台紙画像の内から、前記選択された画像又は該画像を所定の順序で並べたときに隣接する画像と略等しい分解能を有する台紙画像を選択する台紙画像選択部をさらに備えることを特徴とする。
【００１０】
上記画像記録装置において、前記台紙画像選択部は、前記複数の台紙画像の内から、前記選択された画像の数に応じた画像貼付領域を有する台紙画像を選択することを特徴とする。
【００１１】
上記画像記録装置において、前記リサイズ画像データ生成部は、前記台紙画像の画像データ量と前記台紙画像に貼り付けられる前記画像の画像データ量との合計が、前記選択された画像又は前記隣接する画像の画像データ量と略等しくなるように、前記リサイズ画像データを生成することを特徴とする。
【００１２】
上記画像記録装置において、前記記憶制御部は、前記リサイズ画像データに、前記台紙画像データを識別する情報を関連づけて格納し、前記台紙画像データに、前記リサイズ画像データを識別する情報を関連づけて格納することを特徴とする。
【００１３】
上記画像記録装置は、１つ以上の画像を操作者に選択させると共に、操作者によって選択された画像に基づいてアルバム画像を生成するか否かを操作者に選択させる表示を行う表示制御部をさらに備えることを特徴とする。
【００１４】
上記画像記録装置において、前記表示制御部は、前記選択された画像に基づくアルバム画像の生成と、前記選択された画像の削除との内のいずれかを操作者に選択させる表示を行うことを特徴とする。
【００１５】
上記画像記録装置は、前記選択された画像の削除を選択する信号が入力された場合に、前記選択された撮像画像を表す画像データを前記記憶部から削除する画像削除部をさらに備えることを特徴とする。
【００１６】
上記画像記録装置において、前記表示制御部は、前記記憶部に空き領域が不足した場合に、前記表示を行うことを特徴とする。
【００１７】
上記画像記録装置は、前記記憶部をさらに備えることを特徴とする。
【００１８】
本発明に係る撮像装置は、上記画像記録装置と、１つ又は複数のレンズによって形成された光学系と、該光学系を透過した光を受光して電気信号に変換する撮像素子とを有する撮像部とを備えることを特徴とする。
【００１９】
本発明に係る画像記録プログラムは、記憶部に格納された複数の画像の内から選択された画像を、１つ又は複数の画像貼付領域を有する台紙画像に貼り付けることにより、アルバム画像を生成する動作を画像記録装置に実行させる画像記録プログラムであって、前記台紙画像の前記画像貼付領域に合わせて、前記選択された画像の画像データ量を縮小させることにより、リサイズ画像データを生成するリサイズ画像データ生成ステップと、前記リサイズ画像データ生成ステップにおいて生成されたリサイズ画像データと、前記台紙画像を表す台紙画像データとを用いて、合成画像データを生成する画像合成ステップと、前記記憶部に格納されている前記選択された画像を表す画像データを削除すると共に、前記リサイズ画像データ生成ステップにおいて生成されたリサイズ画像データを、前記台紙画像データと関連づけて前記記憶部に格納する記憶制御ステップとを実行させることを特徴とする。
【発明の効果】
【００２０】
本発明によれば、記憶部に蓄積された画像をアルバム化することによって容易に画像を整理することができると共に、アルバム化の際にオリジナルの画像データを削除し、その代わりにリサイズ画像データを保存するので、メモリの空き容量を確保することが可能となる。
【図面の簡単な説明】
【００２１】
【図１】図１は、本発明の一実施の形態に係る撮像装置の構成を示すブロック図である。
【図２】図２は、図１に示す撮像装置の外観を示す模式図である。
【図３】図３は、撮影画像ファイルの内容を示す概念図である。
【図４】図４は、リサイズ画像ファイルの内容を示す概念図である。
【図５】図５は、台紙画像ファイルの内容を示す概念図である。
【図６】図６は、表示部に表示される満杯表示画面を示す模式図である。
【図７】図７は、表示部に表示される画像選択画面を示す模式図である。
【図８】図８は、表示部に表示されるアルバム画像確認画面を示す模式図である。
【図９】図９は、アルバム作成前後における画像データ記憶領域の変化を概念的に示す図である。
【図１０】図１０は、図１に示す撮像装置の動作を示すフローチャートである。
【図１１】図１１は、アルバム化処理を示すフローチャートである。
【図１２】図１２は、台紙画像を切り換えた場合のアルバム画像確認画面を示す模式図である。
【図１３】図１３は、画像貼り付け位置を切り換えた場合のアルバム画像確認画面を示す模式図である。
【図１４】図１４は、表示部に表示される消去確認画面を示す模式図である。
【図１５】図１５は、台紙貼り付け処理を示すフローチャートである。
【図１６】図１６は、撮影画像再生モードを示すフローチャートである。
【図１７】図１７は、表示部に表示される一覧画像表示画面を示す模式図である。
【図１８】図１８は、撮影画像再生モードにおける個別画像表示処理を示すフローチャートである。
【図１９】図１９は、表示部に表示される個別画像表示画面を示す模式図である。
【発明を実施するための形態】
【００２２】
以下、本発明の実施の形態を、図面を参照しながら説明する。
図１は、本発明の一実施の形態に係る撮像装置の構成を示すブロック図である。また、図２は、撮像装置１の外観を背面側から示す模式図である。
図１に示す撮像装置１は、画像を撮像し、この画像の電子的な画像データを生成する撮像部１０と、撮像部１０が生成した画像データ（撮影画像データ）に対して所定の信号処理を施すと共に、撮像装置１の動作を制御する制御部２０と、制御部２０において信号処理が施された撮影画像データに対応する画像を表示する表示部３０と、外部からの操作信号等の入力を受け付ける操作入力部４０と、撮像部１０が撮像した画像データや、画像処理中の画像データを一時的に格納する一時記憶部５０と、撮像部１０が撮影した画像データを含む各種情報を格納する記憶部６０と、撮影場所の情報や明るさ等の撮像部１０の視野領域の状態を検知するセンサ部７０と、撮影日時の判定機能やタイマー機能を有する時計８０と、撮像装置１に接続されるモニタやプリンタ等の外部装置との情報の送受信を行う送受信インタフェース９０とを備える。
【００２３】
撮像部１０は、一または複数のレンズによって構成され、所定の視野領域に存在する被写体からの光を集光する光学系と、光学系が集光した光の入射量を調整する絞りと、レリーズ入力に応じて動作するシャッタと、絞りおよびシャッタを通過した光を受光して電気信号に変換するＣＣＤ（Charge Coupled Device）等の撮像素子と、撮像素子から出力されるアナログ信号に増幅やホワイトバランス等の信号処理を施した後、Ａ／Ｄ変換を行うことによってデジタルの画像データを生成する信号処理回路とを有する。
【００２４】
制御部２０は、ＭＰＵ（Micro Processing Unit）等を用いて実現され、制御対象である撮像装置１の各構成部位とバスラインを介して接続されている。制御部２０は、撮像部１０から取り込まれたデジタル画像信号（撮影画像データ）に対する所定の信号処理の他、１つ又は複数の撮影画像を１つの台紙画像に貼り付けたアルバム画像の生成（アルバム化処理）や、撮影画像データの削除処理を行うことにより、撮影画像の整理を行う。制御部２０は、記憶部６０へのデータ格納を制御する記憶制御部２１と、所定の表示を表示部３０に行わせる表示制御部２２と、選択された画像に対するアルバム化処理を行う台紙選択部２３と、リサイズ画像生成部２４と、画像合成部２５と、選択された画像に対する削除処理を行う画像削除部２６とを有する。
【００２５】
表示部３０は、液晶、プラズマまたは有機ＥＬ（Electro Luminescence）等からなる表示パネルを用いて実現され、撮影画像のほかに撮像装置１の操作情報や撮影に関する情報を適宜表示する。
【００２６】
操作入力部４０は、表示部３０に積層して設けられ、外部からの押圧による接触を検知するタッチパネル４１を有する。タッチパネル４１は、酸化インジウムスズの薄膜（ＩＴＯ膜）からなる透明抵抗膜を用いて実現され、外部からの押圧による透明抵抗膜の変化に応じた電圧変化を検出することによって押圧された位置を特定し、この特定した位置に応じた信号を入力する。或いは、操作入力部４０は、撮像装置１の機能ごとに割り当てられた操作ボタンを有していても良い。
【００２７】
一時記憶部５０は、撮像装置１に内蔵されたＤＲＡＭやＳＲＡＭ等の半導体メモリを用いて実現され、撮像部１０によって取得された撮影画像データを一時的に格納する。
【００２８】
記憶部６０は、撮像装置１の内部に固定的に設けられるフラッシュメモリやＲＡＭ（Random Access Memory）やＲＯＭ（Read Only Memory）等の半導体メモリや、外部から装着されるメモリカード等の記録媒体を用いて実現される。後者の場合、記憶部６０は、メモリカード等の記憶媒体に対して情報を記録する一方、記録媒体が記録する情報を読み出す記録媒体インタフェースとしての機能を備えても良い。
【００２９】
記憶部６０は、撮影画像データ記憶部６１と、台紙画像データ記憶部６２と、プログラム記憶部６３とを含む。撮影画像データ記憶部６１は、撮像部１０によって取得された撮影画像データを含む撮影画像ファイルや、撮影画像データを縮小（リサイズ）した画像データ（リサイズ画像データ）を含むリサイズ画像ファイルを格納する。また、台紙画像データ記憶部６２は、アルバム画像を生成する際に用いられる台紙画像データを含む台紙画像ファイルを格納する。さらに、プログラム記憶部６３は、本実施の形態に係る画像記録プログラムを含み、撮像装置１が実行する各種プログラムを格納する。これらの撮影画像データ記憶部６１と、台紙画像データ記憶部６２と、プログラム記憶部６３とは、物理的には同一のメモリによって実現されても良いし、物理的に隔離したメモリによって実現されても良い。例えば、台紙画像データ記憶部６２及びプログラム記憶部６３を撮像装置１に内蔵されたフラッシュメモリにより構成し、撮影画像データ記憶部６１をメモリカードにより構成しても良い。
【００３０】
図３は、撮影画像データ記憶部６１に格納される撮影画像ファイルの内容を示している。撮影画像ファイル６５は、撮影画像を表す画像データ６５ａと、時計８０によって取得された撮影日時に関する日付情報６５ｂとを含む。
【００３１】
図４は、撮影画像データ記憶部６１に格納されるリサイズ画像ファイルの内容を示している。リサイズ画像ファイル６６は、撮影画像をリサイズしたリサイズ画像（例えば、撮影画像Ａのリサイズ画像Ａ１）を表す画像データ６６ａと、このリサイズ画像が貼り付けられる台紙画像（例えば、台紙画像Ｘ）識別する際に用いられる対応台紙情報（例えば、台紙画像ファイルのファイル名やＩＤ等）６６ｂと、この台紙画像上の貼付位置（例えば、画像貼付領域Ｐ）に関する台紙上位置情報６６ｃと、オリジナルの撮影画像が取得された日付に関する日付情報６６ｄとを含む。
【００３２】
図５に示すように、台紙画像データ記憶部６２に格納される台紙画像ファイルの内容を示している。台紙画像ファイル６７は、台紙画像（例えば、台紙画像Ｘ）を表す台紙画像データ６７ａと、この台紙画像に貼り付けられるリサイズ画像（例えば、リサイズ画像Ａ１及びＢ１）を識別する際に用いられる合成画像情報（例えば、リサイズ画像ファイルのファイル名やＩＤやメモリ上のアドレスやデータ量等）６７ｂと、この台紙画像に貼り付けられる各リサイズ画像の配置に関する合成位置情報６７ｃとを含む。
【００３３】
以上の構成を有する撮像装置１は、操作入力部４０を介した信号入力により、画像を撮影する撮影モードと、撮影画像を撮影画像データ記憶部６１から読み出して再生表示する撮影画像再生モードとを設定することができる。
【００３４】
次に、図６〜図９を参照しながら、撮像装置１の特徴的な処理であるアルバム化処理の概要を説明する。
通常、操作者が写真撮影を行うと、撮影された画像と、この撮影画像の保存又は消去を選択させるメッセージとが表示部３０に表示される。このとき、撮影画像データは、一時記憶部５０に一時的に格納されている。この撮影画像データは、操作者が撮影画像の保存を選択することにより、圧縮されて撮影画像データ記憶部６１に格納される。なお、その際には、時計８０によって取得された撮影日時に関する情報も、撮影画像データに付加されて格納される。一方、操作者が撮影画像の消去を選択すると、一時記憶部５０に格納されていた画像データは消去される。
【００３５】
本実施の形態に係る撮像装置１は、撮像モードの立ち上げ時又は最中に撮影画像データ記憶部６１の空き領域が不足してくると、既に格納された撮影画像データを整理することによって空き領域を作り、操作者が撮影を継続できるようにする。具体的には、空き領域が不足すると、例えば図６に示すような満杯表示画面３１が表示部３０に表示される。この満杯表示画面３１には、メモリが満杯である旨のメッセージ表示３１ａと、「ヘルプ（ＨＥＬＰ）」ボタン３１ｂとが含まれる。
【００３６】
この満杯表示画面３１において、操作者が「ヘルプ」ボタン３１ｂを選択すると、例えば図７に示すような画像選択画面３２が表示部３０に表示される。この画像選択画面３２には、撮影画像データ記憶部６１に格納されている撮影画像ファイルに対応する複数の撮影画像３２ａが表示された画像一覧３２ｂと、「アルバム化」ボタン３２ｃ及び「消去」ボタン３２ｄが表示された処理選択欄３２ｅとが含まれる。
【００３７】
この画像選択画面３２において、操作者が所望の撮影画像のアルバム化を選択すると、例えば図８に示すようなアルバム確認画面３３が表示部３０に表示される。このアルバム画像確認画面３３には、アルバム画像３３ａと、「決定」ボタン３３ｂと、「台紙切換」ボタン３３ｃと、「貼付位置切換」ボタン３３ｄと、「戻る」ボタン３３ｅとが含まれる。
【００３８】
アルバム画像３３ａは、オリジナル撮影画像の画像データ量を縮小したリサイズ画像を１つの台紙画像に貼り付けた合成画像である。このアルバム画像確認画面３３において、操作者が「決定」ボタン３３ｂを選択すると、オリジナル撮影画像の画像データが撮影画像データ記憶部６１から削除され、その代わりに、リサイズ画像の画像データが撮影画像データ記憶部６１に格納される。なお、その他のボタンの機能については、後で詳しく説明する。
【００３９】
図９は、アルバム化処理前後における撮影画像データ記憶部６１の記憶領域の変化を概念的に示している。オリジナルの撮影画像Ａ及びＢを表す画像データＡ’及びＢ’のデータ量（例えば、各々８Ｍ）は、アルバム化処理を実行することにより、台紙画像Ｘの画像貼付領域Ｐ及びＱの大きさに応じてリサイズされる。例えば、リサイズ画像データＡ１’及びＢ１’のデータ量をそれぞれ２Ｍ及び３Ｍとすると、台紙画像Ｘを表す画像データＸ’（例えば、３Ｍ）を含めても、アルバム画像トータルでオリジナル撮影画像と同程度のデータ量となる。それにより、撮影画像データ記憶部６１に、更なる画像データを格納するための空き領域６４が生まれ、操作者は、更に撮影を継続することが可能となる。
【００４０】
次に、撮像装置１の動作について詳しく説明する。図１０は、撮像装置１の撮影動作を示すフローチャートである。なお、以下の説明においては、操作者による撮像装置１に対する選択信号等の入力は、タッチパネル４１の所定の領域にタッチすることにより行われるものとする。
【００４１】
まず、図１０のステップＳ１０１において、撮像装置１の電源がＯＮされる。このとき、操作入力部４０を介した信号入力により撮影画像再生モードが選択されると（ステップＳ１０２：Ｎｏ）、撮像装置１の動作は、ステップＳ１１１に移行する。一方、このときに撮影モードが選択されると（ステップＳ１０２：Ｙｅｓ）、撮像装置１は撮影動作を開始し、撮像部１０において取得された画像（スルー画）を逐次表示する（ステップＳ１０３）。操作者は、この表示部３０の画面を見ながら、被写体の構図や撮影タイミングを決定することができる。
【００４２】
続くステップＳ１０４において、制御部２０の記憶制御部２１は、撮影画像データ記憶部６１に新たな画像データを格納する空き領域が存在するか否かを検索する。このとき、空き領域が存在すると判断された場合には（ステップＳ１０４：Ｙｅｓ）、制御部２０は撮影動作を続行する。
【００４３】
被写体の撮影が行われると（ステップＳ１０５：Ｙｅｓ）、制御部２０は、撮像部１０において生成された撮影画像データを一時記憶部５０に一時的に格納すると共に、撮影画像を操作者に確認させ、これを保存するか否かを選択させるための画面を表示部３０に表示させる（ステップＳ１０６）。
【００４４】
その後、操作者により撮影画像の保存を選択する信号が入力されると（ステップＳ１０７：Ｙｅｓ）、制御部２０は、図３に示す撮影画像ファイル６５を作成して、撮影画像データ記憶部６１に格納する（ステップＳ１０８）。一方、撮影画像の消去を選択する信号が入力されると（ステップＳ１０７：Ｎｏ）、制御部２０は、一時記憶部５０に格納された撮影画像データを消去し、再び、スルー画の表示を開始させる（ステップＳ１０５）。
【００４５】
操作者による入力操作に従って電源がＯＦＦされると（ステップＳ１０９：Ｙｅｓ）、撮像装置１は動作を終了する。また、電源がＯＦＦされない場合には（ステップＳ１０９：Ｎｏ）、撮像装置１は、撮像装置１の動作は再びステップＳ１０２に移行する。
【００４６】
一方、ステップＳ１０４において、撮影画像データ記憶部６１に空き領域が存在しないと判断された場合には（ステップＳ１０４：Ｎｏ）、制御部２０は、例えば図６に示すような満杯表示画面３１を表示部３０に表示させる（ステップＳ１２１）。
【００４７】
この満杯表示画面３１において、「ヘルプ」ボタン３１ｂを選択する信号が入力されると（ステップＳ１２２：Ｙｅｓ）、撮像装置１の動作はアルバム化処理に移行する（ステップＳ１２３）。一方、「ヘルプ」ボタン３１ｂの選択信号が入力されない場合には（ステップＳ１２２：Ｎｏ）、撮像装置１の動作は、ステップＳ１０９に移行する。
【００４８】
次に、図１０に示すアルバム化処理（ステップＳ１２３）について詳しく説明する。図１１は、制御部２０におけるアルバム化処理を示すフローチャートである。
アルバム化処理が開始されると、表示制御部２２は、例えば図７に示すような画像選択画面３２を表示部３０に表示させる（ステップＳ２０１）。
【００４９】
この画像選択画面３２中の画像一覧３２ｂにおいて、操作者の操作（例えば、所望の画像にタッチ）により１つ又は複数の画像を選択する信号が入力されると（ステップＳ２０２：Ｙｅｓ）、表示制御部２２は、処理選択欄３２ｅをアクティブにして、操作者がアルバム化又は消去のいずれかの処理を選択できるようにする。なお、以下の説明においては、図７に示す撮影画像Ａ及びＢが選択されたものとする。
【００５０】
このとき、「アルバム化」ボタン３２ｃを選択する信号が入力されると（ステップＳ２０３：Ｙｅｓ）、制御部２０は選択された撮影画像（選択画像）Ａ及びＢを台紙画像に貼り付ける台紙貼り付け処理を開始する（ステップＳ２０４）。それにより、撮影画像Ａ及びＢのリサイズ画像Ａ１及びＢ１を台紙画像Ｘ上の画像貼付領域Ｐ及びＱに貼り付けたアルバム画像が生成される。この一連の台紙貼り付け処理については、後で詳しく説明する。
【００５１】
ステップＳ２０５において、表示制御部２２は、例えば図８に示すようなアルバム画像確認画面３３を表示部３０に表示させる。このアルバム画像確認画面３３において、「台紙切換」ボタン３３ｃを選択する信号が入力されると（ステップＳ２０６：Ｙｅｓ）、台紙選択部２３は、別の台紙画像Ｙを表す台紙画像ファイルを台紙画像データ記憶部６２から読み出す（ステップＳ２１１）。それにより、ステップＳ２０４において、台紙画像Ｙを用いた別のアルバム画像の生成が行われる。その結果、図１２に示すアルバム画像３４ａが作成され、アルバム画像確認画面３４上に表示される（ステップＳ２０５）。このアルバム画像３４ａにおいては、画像貼付領域Ｒ及びＳに合わせてリサイズされたリサイズ画像Ａ２及びＢ２が、台紙画像Ｙに貼り付けられている。
【００５２】
また、ステップＳ２０５の後、アルバム画像確認画面３３において「貼付位置切換」ボタン３３ｄを選択する信号が入力されると（ステップＳ２０６：Ｎｏ、ステップＳ２０７：Ｙｅｓ）、台紙選択部２３は、台紙画像Ｘ上の選択画像Ａ及びＢの貼付位置を切り換える（ステップＳ２２１）。それにより、ステップＳ２０４において、画像の貼り付け位置が変更された別のアルバム画像の生成が行われる。その結果、図１３に示すアルバム画像３５ａが作成され、アルバム画像確認画面３５上に表示される（ステップＳ２０５）。このアルバム画像３５ａにおいては、画像貼付領域Ｐに合わせてリサイズされたリサイズ画像Ｂ３と、画像貼付領域Ｑに合わせてリサイズされたリサイズ画像Ａ３とが、台紙画像Ｘ上のそれぞれの画像貼付領域に貼り付けられている。
【００５３】
さらに、ステップＳ２０５の後、アルバム画像確認画面３３において「戻る」ボタン３３ｅを選択する信号が入力されると（ステップＳ２０６：Ｎｏ、ステップＳ２０７：Ｎｏ、ステップＳ２０８：Ｎｏ）、制御部２０の動作は、再びステップＳ２０１に移行する。
【００５４】
一方、アルバム画像確認画面３３上の「決定」ボタン３３ｂを選択する信号が入力されると（ステップＳ２０８：Ｙｅｓ）、決定されたアルバム画像（例えば、アルバム画像３３ａ）について、リサイズ画像生成部２４は、各リサイズ画像Ａ１及びＢ１についてリサイズ画像ファイル６６（図４）を作成し、台紙選択部２３は、台紙画像ファイル６７（図５）を更新する（ステップＳ２０９）。そして、記憶制御部２１は、作成されたリサイズ画像ファイル６６を撮影画像データ記憶部６１に格納すると共に、オリジナルの撮影画像Ａ及びＢを表す画像データを削除する。また、記憶制御部２１は、更新された台紙画像ファイル６６を、台紙画像データ記憶部６２に格納する。なお、１つの台紙画像が複数のアルバム画像に使用される場合には、各アルバム画像についての合成画像情報６７及び合成位置情報６７ｃが、台紙画像ファイル６７に順次付加される。
【００５５】
また、ステップＳ２０３において、図７に示す処理選択欄３２ｅの「消去」ボタン３２ｄを選択する信号が入力されると（ステップＳ２０３：Ｎｏ）、表示制御部２２は、例えば図１４に示すような消去確認画面３６を表示部３０に表示させる（ステップＳ２３１）。この消去確認画面３６には、例えば、ステップＳ２０２において選択された画像（選択画像Ａ及びＢ）が表示された消去対象画像表示部３６ａと、消去確認を促すメッセージ表示３６ｂと、「ＯＫ」ボタン３６ｃと、「中止」ボタン３６ｄとが含まれる。
【００５６】
この消去確認画面３６において、「ＯＫ」ボタン３６ｃを選択する信号が入力されると（ステップＳ２３２：Ｙｅｓ）、画像削除部２６は、選択画像Ａ及びＢを表す画像データを撮影画像データ記憶部６１から削除する（ステップＳ２３３）。
【００５７】
一方、消去確認画面３６において、「中止」ボタン３６ｄを選択する信号が入力されると（ステップＳ２３２：Ｎｏ）、撮像装置１の動作はステップＳ１０９に移行する。
【００５８】
次に、図１５を参照しながら、台紙貼り付け処理（図１１のステップＳ２０４）について詳しく説明する。
まず、ステップＳ３０１において、台紙選択部２３は、選択画像Ａ及びＢの周辺の撮影画像のサイズをモニタする。モニタ対象とする撮影画像は、選択画像Ａ又はＢそのものであっても良いし、撮影画像を所定の順序（例えば、ファイル名順、撮影日時順、ファイルの更新日時順等）で並べたときに選択画像Ａ又はＢに隣接する撮影画像のいずれかであっても良い。そして、ステップＳ３０２において、台紙選択部２３は、モニタした画像（例えば、画像サイズが８Ｍ）と同程度の分解能（ｐｐｉ：ピクセル・パー・インチ）を有し、選択画像の数（例えば、２つ）に応じた画像貼付領域を有する台紙画像Ｘを選択する。
【００５９】
続くステップＳ３０３において、リサイズ画像生成部２４は、台紙画像Ｘ上の画像貼付領域Ｐ及びＱの目標サイズを判定する。そして、ステップＳ３０４において、リサイズ画像生成部２４は、判定された目標サイズ（画像データ量）に合わせて選択画像の画像データ量をリサイズしたリサイズ画像データを生成する。例えば、画像貼付領域Ｐの目標サイズが２Ｍ、画像貼付領域Ｑの目標サイズが３Ｍである場合に、選択画像Ａは２Ｍ程度にリサイズされ、選択画像Ｂは３Ｍ程度にリサイズされる。なお、この時点では、リサイズ画像データは一時記憶部５０に格納される。
【００６０】
さらに、ステップＳ３０５において、画像合成部２５は、ステップＳ３０４においてリサイズされたリサイズ画像Ａ１、Ｂ１を、台紙画像Ｘ上の画像貼付領域Ｐ及びＱにそれぞれ貼り付けることにより、アルバム画像を生成する。
【００６１】
なお、以上の説明において例示した台紙画像Ｘは、２つの画像貼付領域Ｐ及びＱを含んでいるが、画像貼付領域の数は２つに限定されず、１つ以上であれば、所望の数の画像貼付領域を設けても良い。また、１つの台紙画像に複数の画像貼付領域が設けられている場合には、画像貼付領域とそこに最初に貼り付けられる選択画像との対応関係をデフォルトで設定しておけば良い。この対応関係は、例えば、撮影画像ファイルのファイル名や撮影日時等の情報に基づいて設定しても良いし、撮影画像のデータ量に基づいて設定しても良い。例えば、台紙画像Ｘについては、撮影日時の早い撮影画像から、画像貼付領域Ｐ、Ｑの順に貼り付けるように設定しておく。そして、この設定に従って画像貼付領域Ｐ及びＱにリサイズ画像Ａ１及びＢ１を貼り付けた後で、操作者の指示に従って、貼付位置を切り換えれば良い（図１１のステップＳ２２１参照）。
【００６２】
次に、図１６を参照しながら、撮影画像再生モード（図１０のステップＳ１１１）について詳しく説明する。図１６は、制御部２０における撮影画像再生モードを示すフローチャートである。
まず、ステップＳ４０１において、表示制御部２２は、最終画像を表示部３０に表示させる。ここで、最終画像とは、直近に立ち上げた撮影画像再生モードの最後に表示されていた画像のことである。
【００６３】
操作入力部４０を介した信号入力により撮影画像の個別画像表示が選択されると（ステップＳ４０２：Ｎｏ）、制御部２０の動作は個別画像表示処理に移行する（ステップＳ４２１）。
【００６４】
また、このときに撮影画像の一覧画像表示が選択されると（ステップＳ４０２：Ｙｅｓ）、制御部２０は、所定数の一覧表示候補画像（例えば、１画面に対して９画像）に対して、アルバム画像が含まれるか否かを判定する（ステップＳ４０３）。即ち、制御部２０は、撮影画像データ記憶部６１に格納された所定範囲のファイルの中から、リサイズ画像ファイル６６（図４）を検索する。このとき、制御部２０がアルバム画像は含まれないと判断した場合には（ステップＳ４０３：Ｎｏ）、制御部２０の動作は、ステップＳ４０６に移行する。
【００６５】
一方、制御部２０がアルバム画像は含まれると判断した場合には（ステップＳ４０３：Ｙｅｓ）、画像合成部２５は、リサイズ画像ファイル６６（図４）に含まれる対応台紙情報６６ｂを参照して、対応する台紙画像ファイル６７（図５）を台紙画像データ記憶部６２から読み出す（ステップＳ４０４）。また、画像合成部２５は、この台紙画像ファイル６７の合成画像情報６７ｂを参照して、同じ台紙画像に貼り付けられる他のリサイズ画像に関するリサイズ画像ファイルを撮影画像データ記憶部６１から読み出す。そして、ステップＳ４０５において、画像合成部２５は、リサイズ画像ファイル６６の台紙上位置情報６６ｃ及び台紙画像ファイル６７の合成位置情報６７ｃに基づいて、合成画像を生成する。
【００６６】
ステップＳ４０６において、表示制御部２２は、例えば図１７に示すような一覧画像表示画面３７を表示部３０に表示させる。この一覧画像表示画面３７には、オリジナルの撮影画像とステップＳ４０５において合成されたアルバム画像とが並べられた一覧画像表示部３７ａが含まれる。また、この一覧画像表示画面３７には、例えば、画面をスクロールする際に用いられる「次へ」ボタン３７ｂ及び「戻る」ボタン３７ｃや、プリントアウトする際に用いられる「プリント」ボタン３７ｄも含まれる。
【００６７】
この一覧画像表示画面３７において、「次へ」ボタン３７ｂ又は「戻る」ボタン３７ｃを選択する信号が入力されると（ステップＳ４０７：Ｙｅｓ）、制御部２０は、表示部３０の表示を別の一覧画像表示画面に切り換えるための処理を行う（ステップＳ４３１）。即ち、制御部２０は、次の一覧表示候補画像（例えば、現在表示されている９画像に続いてファイルが格納されている９画像）に対してアルバム画像が含まれるか否かを判定する（ステップＳ４０３〜）。
【００６８】
また、一覧表示された画像の内の１つを拡大表示する指示信号（例えば、一覧画像表示部３７ａ中の１つの画像を選択する信号）が入力されると（ステップＳ４０８：Ｙｅｓ）、制御部２０の動作は個別画像表示処理に移行する（ステップＳ４２１）。
【００６９】
さらに、一覧画像表示部３７ａの外付け表示装置での表示やプリントアウトを行う場合（例えば、「プリント」ボタン３７ｄを選択する信号の入力）には（ステップＳ４０９：Ｙｅｓ）、制御部２０は、一覧画像表示部３７ａを表す表示信号を、送受信インタフェース９０を介して外部装置に送信する（ステップＳ４１０）。
【００７０】
その後、操作入力部４０を介した信号入力に従って撮影モードに戻る場合には（ステップＳ４１１：Ｙｅｓ）、制御部２０の動作は図１０に示すステップＳ１０９に移行する。一方、撮影画像再生モードを継続する場合には（ステップＳ４１１：Ｎｏ）、制御部２０の動作はステップＳ４０２に移行する。
【００７１】
図１８は、撮影画像再生モードにおける個別画像表示処理（図１６のステップＳ４２１）を示すフローチャートである。
まず、ステップＳ５０１において、制御部２０は、個別表示候補の画像がアルバム画像であるか否かを判定する。そして、当該画像がアルバム画像であると判断されると（ステップＳ５０１：Ｙｅｓ）、画像合成部２５は、当該画像に対応するリサイズ画像ファイル６６に含まれる対応台紙情報６６ｂを参照して、台紙画像データ記憶部６２から対応する台紙画像ファイル６７を読み出す（ステップＳ５０２）。また、画像合成部２５は、この台紙画像ファイル６７の合成画像情報６７ｂを参照して、同じ台紙画像に貼り付けられる他のリサイズ画像に関するリサイズ画像ファイルを撮影画像データ記憶部６１から読み出す。そして、ステップＳ５０３において、画像合成部２５は、リサイズ画像ファイル６６の台紙上位置情報６６ｃ及び台紙画像ファイル６７の合成位置情報６７ｃに基づいて、合成画像を生成する。
【００７２】
ステップＳ５０４において、表示制御部２２は、例えば図１９に示すような個別画像表示画面３８を表示部３０に表示させる。この個別画像表示画面３８には、オリジナルの撮影画像、又は、ステップＳ５０３において合成されたアルバム画像を表示する個別画像表示部３８ａが含まれる。また、この個別画像表示画面３８には、例えば、前後の個別画像の表示に切り換える際に用いられる「次へ」ボタン３８ｂ及び「戻る」ボタン３８ｃや、一覧画像表示画面に遷移するための「一覧表示へ」ボタン３８ｄや、プリントアウトする際に用いられる「プリント」ボタン３８ｅも含まれる。
【００７３】
この個別画像表示画面３８において、「次へ」ボタン３８ｂ又は「戻る」ボタン３８ｃを選択する信号が入力されると（ステップＳ５０５：Ｙｅｓ）、制御部２０は、表示部３０の表示を別の個別画像表示画面に切り換えるための処理を行う（ステップＳ５０６）。即ち、制御部２０は、次の個別表示候補画像（例えば、現在表示されている画像に続いてファイルが格納されている画像）がアルバム画像であるか否かを判定する（ステップＳ５０１〜）。一方、個別画像の切り換えを行わない場合には、制御部２０の動作は、ステップＳ４０９に移行する。
【００７４】
以上説明したように、本実施の形態によれば、メモリに蓄積された撮影画像をリサイズしてアルバム化するので、撮影画像を消去することなく、メモリ内の空き容量を増やすことができる。従って、操作者は、メモリを交換することなく画像撮影を継続することが可能となる。
【００７５】
また、本実施の形態によれば、予め用意された台紙画像に１つ又は複数の画像を貼り付けることによりアルバム画像を生成するので、操作者がなすべきアルバム化の作業は非常に簡単である。従って、メモリ内に多量の撮影画像が蓄積されていても、必要が生じたときに、撮影画像を容易に整理することができる。また、選択画像に対してアルバム化又は消去を選択できるので、撮影画像の整理がより簡単になる。
【００７６】
さらに、本実施の形態によれば、アルバム化するためにオリジナルの画像をリサイズするが、台紙画像によって画像を補うため、アルバム画像に合成した際に、各撮影画像（リサイズ画像）の画質低下はそれほど目立つことはない。さらに、本実施の形態においては、アルバム画像の画像サイズがオリジナル画像と同程度になるようにしている。従って、オリジナル画像とアルバム画像を１つの画面に一覧表示したり、連続表示したり、連続的にプリントアウトする場合であっても、操作者は違和感を覚えることなく、画像の鑑賞を楽しむことができる。
【００７７】
なお、以上説明した実施の形態においては、リサイズ画像ファイル及び台紙画像ファイルの両方に、両者を紐付ける情報を記録し、互いを参照しながら必要なファイルを読み出すことによりアルバム画像を生成している。しかしながら、１つのアルバム画像として合成されるリサイズ画像と台紙画像とを紐付ける情報を記録するファイルを別途作成しても良い。例えば、ある台紙画像を識別する情報（ファイル名やメモリ上のアドレス等）と、その台紙画像に同時に貼り付けられる１つ又は複数のリサイズ画像を識別する情報（同）と、台紙画像上のリサイズ画像の貼り付け位置とを記録したアルバム画像ファイルを作成し、記憶部６０に格納しても良い。或いは、リサイズ画像ファイルに、同じアルバム画像に合成される他のリサイズ画像及び台紙画像を識別する情報等を格納しても良い。
【００７８】
また、以上の説明においては、メモリの空き領域がなくなったときに満杯表示画面３１が表示され、そこから選択画像のアルバム化処理又は消去処理に移行するようになっている。しかしながら、アルバム化処理又は消去処理の選択を随時実行できるようにしても良い。例えば、図１６のステップＳ４０６で表示される一覧画像表示画面３７に「画像選択」ボタンを設け、この「画像選択」ボタンが選択されると、現在一覧表示されている画像を含む画像選択画面３２（図７参照）に遷移するようにしても良い。或いは、図１８のステップ５０４で表示される個別画像表示画面３８に「画像選択」ボタンを設け、この「画像選択」ボタンが選択されると、現在個別表示されている画像を含む画像選択画面３２に遷移するようにしても良い。この場合には、思い立ったときに撮影画像を容易に整理することができる。
【００７９】
さらに、以上の説明において、台紙選択部２３は選択画像の数に応じた画像貼付領域を有する台紙画像を選択しているが、選択画像の数と画像貼付領域の数は必ずしも一致している必要はない。例えば、選択画像に対して台紙画像上の画像貼付領域が少ない場合には、一部の画像貼付領域は空欄のままとしても良い。或いは、空欄が生じたときに備えて、別途貼付画像（イラスト画像等）を用意しておいても良い。
【００８０】
また、以上の説明においては、操作者に撮影画像を選択させた後で、アルバム化処理又は消去処理を選択させているが、この手順は逆でも構わない。例えば、図７に示す画像選択画面３２において、先にアルバム化処理又は消去処理を操作者に選択させ、その後で画像一覧３２ｂをアクティブにして、処理対象とする撮影画像３２ａを操作者に選択させるようにしても良い。
【産業上の利用可能性】
【００８１】
本発明は、撮影によって得られた画像データをメモリに記録する画像記録装置、及びそのような画像記録装置を備えた撮像装置において利用することが可能である。
【符号の説明】
【００８２】
１０  撮像部
２０  制御部
２１  記憶制御部
２２  表示制御部
２３  台紙選択部
２４  リサイズ画像生成部
２５  画像合成部
２６  画像削除部
３０  表示部
３１  満杯表示画面
３２  画像選択画面
３３〜３５  アルバム画像確認画面
３６  消去確認画面
３７  一覧画像表示画面
３８  個別画像表示画面
４０  操作入力部
４１  タッチパネル
５０  一時記憶部
６０  記憶部
６１  撮影画像データ記憶部
６２  台紙画像データ記憶部
６３  プログラム記憶部
６４  空き領域
６５  撮影画像ファイル
６６  リサイズ画像ファイル
６７  台紙画像ファイル
７０  センサ部
８０  時計
９０  送受信インタフェース
【図１】
2011257875.tif 000003
【図２】
2011257875.tif 000004
【図３】
2011257875.tif 000005
【図４】
2011257875.tif 000006
【図５】
2011257875.tif 000007
【図６】
2011257875.tif 000008
【図７】
2011257875.tif 000009
【図８】
2011257875.tif 000010
【図９】
2011257875.tif 000011
【図１０】
2011257875.tif 000012
【図１１】
2011257875.tif 000013
【図１２】
2011257875.tif 000014
【図１３】
2011257875.tif 000015
【図１４】
2011257875.tif 000016
【図１５】
2011257875.tif 000017
【図１６】
2011257875.tif 000018
【図１７】
2011257875.tif 000019
【図１８】
2011257875.tif 000020
【図１９】
2011257875.tif 000021